(57)【特許請求の範囲】
【請求項１】
フィルムロールが軸方向に着脱可能に装着される中空保持筒、
前記中空保持筒に対して回転可能に支持されたねじ軸、
前記ねじ軸に連結されており前記ねじ軸を回転させるために操作される操作手段、及び  前記ねじ軸に対して相対回転可能に軸支されており且つ前記中空保持筒に対して軸方向のみに移動が規制されている二つの係止部材、
を備えており、
前記操作手段による前記ねじ軸の回転操作によって前記二つの係止部材の間に前記フィルムロールのロール芯を軸線方向外側から挟み付けることで、前記フィルムロールを保持するフィルムロール保持装置であって、
前記フィルムロールの前記中空保持筒上への装着状態で、前記ねじ軸と前記中空保持筒との相対回転を防止するロック機構が設けられており、
前記ロック機構は、摩擦材を用いたブレーキ機構であり、
前記ブレーキ機構は、前記中空保持筒の端部に設けられておりブレーキ面を備える被ブレーキ部材、前記ねじ軸の先端端部において前記被ブレーキ部材と対向し且つ軸方向にのみ移動可能に設けられているキャップ部材、及び前記キャップ部材に支持されており前記ブレーキ面に対して摩擦係合する前記摩擦材としてのブレーキパッドを備えたディスクブレーキであり、
前記キャップ部材と前記被ブレーキ部材との間に介装され且つ前記ねじ軸に嵌装して配設されており、前記キャップ部材を前記被ブレーキ部材から軸方向に離間する方向に付勢するばね手段を備えており、
前記操作手段は、前記ねじ軸の前記先端端部に前記ねじ軸と直交する軸の周りに回動可能に設けられたハンドルであり、
前記ハンドルは、当該ハンドルの偏心した位置にて、前記ねじ軸の前記先端端部に対して回動可能に設けられており、前記ハンドルが占める回動位置に応じて、当該偏心に起因して前記キャップ部材に対する押し出しの有無が選択され、前記ばね手段の付勢に抗して当該押し出しをすることで前記ディスクブレーキが作動して前記ねじ軸と前記中空保持筒との相対回転を防止するロック状態とし、当該押し出しをしないことで前記ばね手段の付勢によって前記ディスクブレーキが解除されて前記ねじ軸と前記中空保持筒との相対回転を許容する非ロック状態とする
ことを特徴とするフィルムロール保持装置。
【請求項２】
前記フィルムロールは、ウェッブ状の包装材フィルムが巻き取られていて、繰り出された包装材フィルムを成形・シールすることにより製品を連続包装する包装機において用いられる原反ロール部であり、当該原反ロール部の保持装置として適用されていることを特徴とする請求項１に記載のフィルムロール保持装置。
【発明の詳細な説明】
【技術分野】
【０００１】
この発明は、例えば、繰り出された包装材を成形・シールするなどして製品を包装する包装機のような用途において、巻き取られた状態からフィルムが繰り出されるフィルムロールの保持に用いられるフィルムロール保持装置に関する。
【背景技術】
【０００２】
従来、製袋充填包装機等の包装機においては、長尺の紙や合成樹脂フィルムウェブ、金属箔やその他ラミネートフィルム等の包装用フィルムウェブが中空巻芯に巻取られた状態にある包材用ロール体を機枠内の所定位置に装填し、当該包材用ロール体から包装用フィルムを連続的に繰出し、ヒートシール等を施して袋体に形成すると共に、この袋体中に品物を充填することによって、各種包装袋を製造するようになっている。包材用ロール体から包装用フィルムが使い尽されると、作業者は、使い終わったロール体の中空巻芯をロールホルダから脱着し、その後、新たな包材用ロールをロールホルダに装着して、包装機の運転を再開させている。
【０００３】
ロールホルダヘのロールの装填及び取外しを容易に行ない、しかもロールフィルムのセット中心を一定位置に設定するロールホルダヘのロールフィルムの装着についての提案がなされている（特許文献１参照）。即ち、ロールホルダの一方の移動部材に配設した３本の係止爪（一方の挟持手段）を中空支持管の外周面に対して没入させた状態で、ロールフィルムを中空支持管に外挿し、ロールフィルムの端部を他方の移動部材（他方の挟持手段）に配設した３本の係止片に当接してロールフィルムのそれ以上の移動を停止する。中空支持管に配設したねじ軸を所定方向に回転し、一方の挟持手段をその退避位置から、該ロールフィルムの開口端部に当接可能な当接位置まで径方向外方に移動し、両挟持手段が前記ロールフィルムの軸方向両側に当接してこれを挟持し固定する。そして、最終的に係止爪及び係止片をロールフィルムの巻芯開口端部に押圧することで、中空支持管に対してロールフィルムを装填固定する。
【０００４】
包装機におけるフィルムロールの保持装置において、フィルムロールのセット位置調節機構の簡素化を行うとともに、セット位置調節の誤操作を防止することが提案されている（特許文献２参照）。即ち、フィルムロールを装填する保持装置は、外周部の軸線方向に長溝孔を貫設した中空支持管と、この支持管の軸線上に回転可能左右ねじを螺設した中空ねじ軸と、この左右ねじに螺着される一対のクランプ部材と、中空ねじ軸に取付けられて両クランプ部材を対向移動するロール保持用ハンドルとからなるフィルム装填機構と、支持部材に回転可能に取付けて中空支持管の一端をスライド可能に、かつ共回り可能に支承するスライド受けメタルと、中空ねじ軸の軸線と同心に支承した調節ねじ杆と、そのねじ部54に螺合される調節プレートと押えプレートを連結部材により支持部材側に連結する調節連結部材と、調節ねじ杆のセット位置調節ハンドルを操作して中空支持管を軸線方向へ移動調節するフィルム位置調節機構とより構成する。
【０００５】
図３は包材用のフィルムロールを従来のロールホルダへ装着した装着状態を示す斜視図である。また、図４は図３に示すロールホルダの断面図であり、フィルムロールをロールホルダに装着する場合のロールホルダの操作の様子を示す断面図（図４（ａ））と、フィルムロールをロールホルダから脱着する場合のロールホルダの操作の様子を示す断面図（図４（ｂ））である。図３に示すように、フィルムロールＦｒを保持し、フィルムロールＦｒからフィルムウェブＦｗを繰り出すためにロールホルダ８０が図示しない包装機のフレームに対して片持ち支持される態様で回転自在に支持されている。
【０００６】
ロールホルダ８０は、複数本（図示の例では９０度毎に４本設けられているが、その内の２本を図示する）の縦溝８２が母線方向に延びるように形成された中空保持管８１と、中空保持管８１の各縦溝８２に出没可能に且つ縦溝８２から先端が出た状態で設けられた係止爪８３と、各係止爪８３をそれぞれの縦溝８２に沿って移動させために回転操作される操作手段としての操作ハンドル８４とを備えている。
【０００７】
図４に示すように、回転可能に片持ち支持された中空保持管８１の内部の中空部には、雄ねじ８５が配設されている。雄ねじ８５は、長手方向中間位置を境にして、ねじの刻設方向が逆（ねじ部８５ａ及び８５ｂ）に形成されている。雄ねじ８５のねじ部８５ａには係止爪８３が連携可能に設けられており、ねじ部８５ｂには、係止爪８３の相手側となる係止爪８６が螺合している。雄ねじ８５の先端は操作ハンドル８４に連結されているので、操作ハンドル８４を回転操作することで雄ねじ８５を回転させることができる。
【０００８】
図４（ａ）に示す方向に雄ねじ８５を回転させるときには、係止爪８３は起き上がって縦溝８２から先端が飛び出た状態となるとともに、雄ねじ８５のねじ作用によって係止爪８３と係止爪８６とは互いに接近する方向に移動する。互いに接近する係止爪８３と係止爪８６によって、フィルムロールＦｒの中空巻芯を挟み込んで固定し保持することができる。操作ハンドル８４を回転操作するとき、フィルムロールＦｒは重量があって繰り出されないので、中空保持管８１共々、回転することはない。図４（ｂ）に示す方向に雄ねじ８５を回転させるときには、係止爪８３は倒伏して縦溝８２内に沈む状態となるとともに、雄ねじ８５のねじ作用によって係止爪８３と係止爪８６とは互いに離間する方向に移動する。互いに離間する係止爪８３と係止爪８６によって、フィルムロールＦｒの中空巻芯の固定・保持は解除され、フィルムロールＦｒを中空保持管８１の先端側から取り外すことができる。フィルムロールＦｒのロール芯の内部に対して中空保持筒８１が軸方向に嵌挿・抜出しされるように、フィルムロールＦｒが中空保持筒８１の外周面に対して装着される。このとき、少なくとも手前側の係止爪８３は、フィルムロールＦｒのロール芯が通過可能であるように、中空保持筒８１内に後退している必要がある。こうした後退機構は、上記特許文献１、２に開示のものが採用している機構と同等のものであってよい。
【０００９】
従来、包装機の一つとして製袋包装機が実用化されている。図５は、縦型の製袋充填包装機の一例を示す斜視図である。縦型製袋充填包装機５０においては、原反ロール部５１（フィルムロールＦｒに相当）から繰り出された帯状包装材Ｆｗは、幾つかの回転自在なガイドロール５２で案内されて製筒器（フォーマ）５３に送り込まれ、製筒器５３において筒状に成形された後、重ね合わされた縁部に縦シール装置５４によって縦シールが施されて筒状包装材Ｆｔに成形される。包装物Ａが筒状包装材Ｆｔの内部に充填・投入され、包装物Ａを筒状包装材Ｆｔの送り方向の前後に挟む位置で筒状包装材はその横切る方向に横シール装置５５によって横シールが施されるとともに、例えば横シール装置５５に組み込まれたカッタ装置５６によって当該横シール位置に合わせて筒状包装材をカットすることで、内部に包装物Ａが充填された袋包装体Ｐ１が製造される。原反ロール部５１から繰り出された帯状包装材Ｆｗは、貯留部５７において、張力調整や送り量の変動が吸収される。また、貯留部５７の下流側に印字装置５８が設けられている。製筒器５３には、その外周面上に筒状包装材Ｆｔを挟んで送るベルト式の紙送り装置５９が設けられている。
【００１０】
図６は横型の製袋包装機の一例を示す斜視図である。横型製袋包装機６０においては、原反ロール部６１（フィルムロールＦｒに相当）から繰り出された帯状包装材Ｆｗは、幾つかの回転自在なガイドロール６２で案内されて製筒器（フォーマ）６３に送り込まれ、製筒器６３において筒状に成形された後、重ね合わされた縁部に縦シール装置６４によって縦シールが施されて筒状包装材Ｆｔに成形される。包装物Ｂが製筒器６３において筒状包装材Ｆｔの内部に送り込まれ、包装物Ｂを筒状包装材Ｆｔの送り方向の前後に挟む位置で筒状包装材はその横切る方向に横シール装置６５によって横シールが施されるとともに、例えば横シール装置６５に組み込まれたカッタ装置６６によって当該横シール位置に合わせて筒状包装材をカットすることで、内部に包装物Ｂが充填された袋包装体Ｐ２が製造される。原反ロール部５１から繰り出された帯状包装材Ｆｗに印字を施す印字装置６８が設けられている。製筒器６３の送り方向前後の位置には、帯状包装材Ｆｗを挟んで送るピンチローラ式の紙送り装置６９ａと、筒状包装材Ｆｔの重ね合わされた縁部を挟んで送るローラ式の紙送り装置６９ｂが設けられている。
【００１１】
製袋包装機は、動作方式の観点からすれば、包装材を袋１個分繰り出した後、包装材の送りを一定時間停止し、該停止中に、縦シール、包装物の充填・送り込み、横シール及びカットを行う間欠動作式と、包装材の送りを停止させることなく連続して行い、包装材の送りに同期して、縦シール、包装物の充填、横シール及びカットを行う連続動作式に区分される。また、製袋包装機は、筒状に成形された包装材の送り方向によって、図５に示すような垂直方向に送る縦型製袋充填包装機と、図６に示すような水平方向に送る横型製袋包装機とに区分される。
【００１２】
しかしながら、従来のロールホルダでは、フィルムロールのロール芯を脱着可能に保持する保持部に、フィルムロールの慣性に対処しようとする特別な機構が設けられてはいない。フィルムが所定の速度で連続して繰り出されている場合には格別の問題はないが、フィルムがロールから送り出されたり停止されたりするように間欠で繰り出される場合には、フィルムの繰り出しの停止時及び再開時にフィルムロールの回転の慣性に起因した衝撃等が保持部に対して繰り返して作用するうちに、当該保持部が弛むことがある。即ち、ねじを操作して係止部をロールに押し当てて係止することでフィルムロールを保持していたところを、係止部とねじとが次第に緩む方向に相対回転することで、ロールホルダがロール芯を確りと保持することができなくなる虞がある。
【先行技術文献】
【特許文献】
【００１３】
【特許文献１】特公平０７−８１５８１号公報
【特許文献２】特許第３０３７６１８号公報
【発明の概要】
【発明が解決しようとする課題】
【００１４】
そこで、フィルムロールを着脱自在に保持するロールホルダにおいて、当該フィルムロールを保持した場合には、保持部においてねじ軸と係止部との相対回転を拘束してその保持力が緩まないようにする点で解決すべき課題がある。
【００１５】
この発明の目的は、上記課題を解決することであり、フィルムが間欠的に繰り出されて繰り出しが停止・再開されるときに衝撃が作用しても、フィルムロールの保持に弛みが生じることがなく、コンパクトに構成され且つフィルムロールの保持を安定して実現できるフィルムロール保持装置を提供することである。
【課題を解決するための手段】
【００１６】
上記の課題を解決するため、この発明によるフィルムロール保持装置は、フィルムロールが軸方向に着脱可能に装着される中空保持筒、前記中空保持筒に対して回転可能に支持されたねじ軸、前記ねじ軸に連結されており前記ねじ軸を回転させるために操作される操作手段、及び前記ねじ軸に対して相対回転可能に軸支されており且つ前記中空保持筒に対して軸方向のみに移動が規制されている二つの係止部材、を備えており、前記操作手段による前記ねじ軸の回転操作によって前記二つの係止部材の間に前記フィルムロールのロール芯を軸線方向外側から挟み付けることで、前記フィルムロールを保持するフィルムロール保持装置であって、前記フィルムロールの前記中空保持筒上への装着状態で、前記ねじ軸と前記中空保持筒との相対回転を防止するロック機構が設けられていることを特徴としている。
【００１７】
このフィルムロール保持装置によれば、フィルムロールが中空保持筒に対して、フィルムロールのロール芯の内部が軸方向に嵌挿・抜出しされることで、フィルムロールが装着又は脱着される。フィルムロールの装着状態で、操作手段による回転操作によってねじ軸を回転させることで、ねじ軸に対して相対回転可能に軸支されており且つ中空保持筒に対して軸方向のみに移動が規制されている二つの係止部材が互いにフィルムロールに接近する。二つの係止部材の間にフィルムロールのロール芯を軸線方向外側から挟み付けることで、フィルムロールが中空保持筒に対して確りと保持される。フィルムロールの中空保持筒上への装着状態では、ロック機構により、ねじ軸と中空保持筒との相対回転が防止される。したがって、フィルムがロールから送り出されたり停止されたりするように間欠で繰り出される場合に、フィルムの繰り出しの停止時及び再開時にフィルムロールの回転の慣性に起因した衝撃等が保持部に対して繰り返して作用するようなことがあっても、当該ロック機構によりねじ軸と中空保持筒との相対回転が阻止されるので、係止部材がフィルムロールから後退して保持部が弛むというような事態を未然に防止することができる。
【００１８】
このフィルムロール保持装置において、ロック機構は、摩擦材を用いたブレーキ機構である。また、前記ブレーキ機構は、前記中空保持筒の端部に設けられておりブレーキ面を備える被ブレーキ部材、前記ねじ軸の先端端部において前記被ブレーキ部材と対向し且つ軸方向にのみ移動可能に設けられているキャップ部材、及び前記キャップ部材に支持されており前記ブレーキ面に対して摩擦係合する前記摩擦材としてのブレーキパッド、を備えたディスクブレーキである。また、このフィルムロール保持装置は、前記キャップ部材を前記被ブレーキ部材から軸方向に離間する方向に付勢するばね手段を備えている。更に、このフィルムロール保持装置において、前記操作手段は、前記ねじ軸の前記先端端部に前記ねじ軸と直交する軸の周りに回動可能に設けられたハンドルであり、前記ハンドルは、当該ハンドルの偏心した位置にて、前記ねじ軸の前記先端端部に対して回動可能に設けられており、前記ハンドルが占める回動位置に応じて、当該偏心に起因して前記キャップ部材に対する押し出しの有無が選択され、前記ばね手段の付勢に抗して当該押し出しをすることで前記ディスクブレーキが作動して前記ねじ軸と前記中空保持筒との相対回転を防止するロック状態とし、当該押し出しをしないことで前記ばね手段の付勢によって前記ディスクブレーキが解除されて前記ねじ軸と前記中空保持筒との相対回転を許容する非ロック状態とする。
このフィルムロール保持装置において、前記ハンドルが一つの回動位置を取ることに応じて、前記ハンドルは前記ばね手段の付勢に抗して前記キャップ部材を前記被ブレーキ部材側に押し出して前記摩擦材の前記ブレーキ面に対する摩擦係合により前記ねじ軸と前記中空保持筒との相対回転を防止するロック状態とし、前記ハンドルが他の回動位置を取ることに応じて、前記ハンドルは前記キャップ部材の前記被ブレーキ部材側への押し出しをせず前記ばね手段の付勢によって前記摩擦材の前記ブレーキ面に対する摩擦係合を解除して、前記ねじ軸と前記中空保持筒との相対回転を許容する非ロック状態とすることができる。
また、前記フィルムロールは、ウェッブ状の包装材フィルムが巻き取られていて、繰り出された包装材フィルムを成形・シールすることにより製品を連続包装する包装機において用いられる原反ロール部とすることができ、このフィルムロール保持装置は、当該原反ロール部の保持装置として適用することができる。
【発明の効果】
【００１９】
この発明は、上記のように構成されているので、フィルムがフィルムロールから間欠的に繰り出されるような動作がされても、ロック機構を作動させていることにより、ねじ軸と中空保持筒との相対回転が防止されるので、係止部材がフィルムロールから後退して保持部が緩むことなく、ロールホルダはフィルムロールを確りと保持することができる。
また、ブレーキ面を備えた被ブレーキ部材とブレーキパッドを備えたキャップ部材とを有するディスクブレーキ、ねじ軸に嵌装されたばね手段、及びねじ軸の先端端部に設けられたハンドルのような主要な構成部品は、中空保持筒の端部においてねじ軸を中心としてコンパクトに配設されており、ねじ軸と中空保持筒との相対回転を防止するロック機能がねじ軸周りにおいて安定的に実現され、当該構成部品についても簡単な構造を備えるものであって且つ製造するに際しても安価に製造することができる。
更に、ロック機構は平坦なブレーキ面を備えるディスクブレーキであるので、フィルムロールの装填の際、被ブレーキ部材が設けられている中空保持筒は、ブレーキパッドを備え且つねじ軸に対して軸方向にのみ移動可能なキャップ部材に対して、二つの係止部材がフィルムロールのロール芯を軸線方向に挟み付けたときの正にその回転位置、即ち中空保持筒とねじ軸が無段階に連続した回転方向位置の中のいずれの位置で停止してもその回転位置で、相対回転しないように操作手段による一回の操作でロックすることができる。
【図面の簡単な説明】
【００２０】
【図１】本発明によるフィルムロール保持装置の主要部を示す断面図である。
【図２】本発明によるフィルムロール保持装置の操作手段の要部を示す拡大図である。
【図３】フィルムロール保持装置の一例を示す斜視図である。
【図４】従来のフィルムロール保持装置の要部を示す断面図である。
【図５】縦型製袋充填包装装置の一例を示す斜視図である。
【図６】横型製袋充填包装装置の一例を示す斜視図である。
【発明を実施するための形態】
【００２１】
以下、添付した図面に基づいて、この発明によるフィルムロール保持装置の実施例を説明する。図１は本発明によるフィルムロール保持装置の主要部を示す断面図、図２は本発明によるフィルムロール保持装置の操作手段の要部を示す拡大図である。
【００２２】
図１に示すように、本発明によるフィルムロール保持装置１０は、フィルムロール（図３と同様であり、ここでは図示しない。）が軸方向に着脱可能に装着される中空保持筒１１と、中空保持筒１１を貫いて同軸心状に配置されており且つ中空保持筒１１に対してベアリング１３を介して回転可能に支持されたねじ軸１２と、ねじ軸１２に連結されておりねじ軸１２を回転させるために操作される操作手段としてのハンドル１４とを備えている。中空保持筒１１は、図４に示した従来の構造と同様に、装置の固定フレームに対して片持ち状に且つ回転自在に支持されている。フィルムロール保持装置１０は、更に、ねじ軸１２に対して相対回転可能に軸支されており且つ中空保持筒１１に対して軸方向のみに移動が規制されている二つの係止部材を備えている。ハンドル１４によるねじ軸１２の回転操作によって当該二つの係止部材の間にフィルムロールのロール芯を軸線方向外側から挟み付けることで、フィルムロールが保持されるが、これらの係止部材については、従来の保持装置を示す図４における８３、８６に相当のものとしてよく、ここでの図示を省略する。
【００２３】
フィルムロール保持装置１０においては、ねじ軸１２と中空保持筒１１との相対回転を防止するロック機構が設けられている。ロック機構は、後述するように、摩擦材を用いたブレーキ機構２０である。ロック機構については、フィルムロールの中空保持筒１１上への装着状態で、これを使用する。
【００２４】
ブレーキ機構２０は、中空保持筒１１の端部１１ａに設けられておりブレーキ面２２を備える被ブレーキ部材２１を備えている。被ブレーキ部材２１は、この例では、外周側において中空保持筒１１の端部１１ａにボルト止めされて、当該端部１１ａを封鎖する端部壁部材又は蓋部材としての機能を備えている。被ブレーキ部材２１は、その内周部にはベアリング１３を保持していて、ねじ軸１２を回転自在に軸支している。
【００２５】
ブレーキ機構２０は、ねじ軸１２の先端端部１２ａにおいて被ブレーキ部材２１と対向し且つ軸方向にのみ移動可能に設けられているキャップ部材２３を備えている。キャップ部材２３は、ブレーキ面２２に対して摩擦係合する摩擦材としてのブレーキパッド２４を支持している。ブレーキパッド２４は、ねじ軸１２の軸線方向に移動して被ブレーキ部材２１である中空保持筒１１にブレーキ力を作用する。したがって、ブレーキ機構２０はディスクブレーキ機構であって、ブレーキ面２２はブレーキディスク面である。
【００２６】
ブレーキ機構２０は、また、キャップ部材２３を被ブレーキ部材２１から軸方向に離間する方向に付勢するばね手段としてのコイルばね２５を備えている。コイルばね２５は、図１に示すように、被ブレーキ部材２１とキャップ部材２３との間に介装されているとともに、ねじ軸１２の軸端部に嵌装され且つキャップ部材２３の中心の凹部内に収容されて配置されている。図１（ｂ）に示す状態では、コイルばね２５のばね作用によってブレーキパッド２４はキャップ部材２３とともに被ブレーキ部材２１から離れた位置にあり、ブレーキ解除状態を示している。ハンドル１４を操作して、キャップ部材２３を、コイルばね２５のばね力に抗して、被ブレーキ部材２１側に押し出すと、図１（ａ）に示す状態となり、キャップ部材２３に設けられたブレーキパッド２４が被ブレーキ部材２１のブレーキ面２２に押しつけられ、中空保持筒１１にブレーキ力を作用する。図１（ａ）に示すロック状態では、中空保持筒１１はねじ軸１２とロックされた状態となり、共に回転してフィルムロールからフィルムを繰り出すことができる。
【００２７】
キャップ部材２３はねじ軸１２に対して回転不能、即ち、キャップ部材２３はねじ軸１２に対して軸方向のみ移動可能に構成されている。軸方向のみ移動可能な慣用手段としては、例えば、キーとキー溝、スプライン嵌合等の構造がある。中空保持筒１１にブレーキ力が作用することで中空保持筒１１とねじ軸１２とが相対回転不能となることにより、ねじ軸１２が係止部材との間で相対回転することが阻止される。したがって、間欠的なフィルムの繰出しにおいて、繰出し停止と繰出し再開時に、フィルムロールから慣性力が作用して、係止部材がねじ軸１２に対して回転することに起因してフィルムロールの挟み込みが緩くなることを未然に防止することができる。なお、図１（ｃ）に、ロック機構を備えていない従来のフィルムロール保持装置の一部を断面で示す。従来構造は、図４に概略示しているが、ねじ軸１２の先端端部１２ａに取り付けられたキャップ部材３３に対してハンドル３４が固定された構造となっている。
【００２８】
操作手段であるハンドル１４は、ねじ軸１２の先端端部１２ａにねじ軸１２と直交する軸の周りに回動可能に設けられている。また、ハンドル１４は、図２に示すように、当該ハンドル１４の偏心した位置にて、ねじ軸１２の先端端部１２ａに対して回動可能に設けられている。即ち、ハンドル１４の一部を構成するレバー２６は軸２７の回りに回動し、軸２７の中心軸線からレバー２６の側部に至る距離はそれぞれＡ，Ｂで示されるように、当距離ではないので、レバー２６は偏心して支持されている。図２（ａ）に示す状態では、図２（ｂ）に示す状態よりも、レバー２６のキャップ部材２３側の側部が距離Ｂ−Ａだけ進んだ位置を占めており、この分だけキャップ部材２３を被ブレーキ部材２１側に押し出すことができる。
【００２９】
ハンドル１４が占める回動位置に応じて、当該偏心に起因してキャップ部材２３に対する押出しの有無が選択されることになる。即ち、ハンドル１４が一つの回動位置（図２（ａ）に示す位置）を取ることに応じて、ハンドル１４はキャップ部材２３を被ブレーキ部材２１側に押し出して摩擦材のブレーキ面に対する摩擦係合によりねじ軸と中空保持筒との相対回転を防止するロック状態とする（図１（ａ））。
また、ハンドル１４が他の回動位置（図２（ｂ）に示す位置）を取ることに応じて、ハンドル１４はキャップ部材２３の被ブレーキ部材２１側への押出しをせず摩擦材のブレーキ面２２に対する摩擦係合を解除して、ねじ軸１２と中空保持筒１１との相対回転を許容する非ロック状態とする（図１（ｂ））。
このように、ロールを保持するために操作する操作手段（ハンドル１４）にブレーキ機構２０を連携させており、操作手段についてロールを保持軸に装着させるときの装着操作に続いて、当該操作手段をロック操作させることにより、フィルムがロールから間欠的に繰り出されてフィルムの繰り出しの停止時及び再開時にフィルムロールの回転の慣性に起因した衝撃等が二つの係止部材の間での挟み付けからなるフィルムロールの保持部に対して繰り返して作用するようなことがあっても、ブレーキ機構２０によりねじ軸１２と中空保持筒１１との相対回転が阻止されるので、係止部材がフィルムロールから後退して保持部が弛むというような事態を未然に防止することができる。
また、ブレーキ面２２を備えた被ブレーキ部材２１とブレーキパッド２４を備えたキャップ部材２３とを有するディスクブレーキ、ねじ軸１２に嵌装されたばね手段（コイルばね２５）、及びねじ軸１２の先端端部に設けられたハンドル１４のような主要な構成部品は、中空保持筒１１の端部においてねじ軸１２を中心としてコンパクトに配設されており、中空保持筒１１とねじ軸１２の相対回転を防止するロック機能がねじ軸１２周りにおいて安定的に実現され、当該構成部品についても簡単な構造を備えるものであって且つ製造するに際しても安価に製造することができる。
更に、ロック機構は摩擦材によるディスクブレーキであるので、フィルムロールの装填の際、中空保持筒１１は、キャップ部材２３に対して、二つの係止部材がフィルムロールのロール芯を軸線方向に挟み付けたときの正にその回転位置、即ち、中空保持筒１１とねじ軸１２が無段階に連続した回転方向位置の中のいずれの位置で停止してもその回転位置で、相対回転しないように、操作手段による一回の操作でロックすることができる。
【００３０】
上記のフィルムロール保持装置１０は、図５に示す縦型の製袋充填包装機又は図６に示す横型の製袋充填包装機のような、フィルムとしてウェッブ状の包装材フィルムが巻き取られている原反ロール部であって、繰り出された包装材フィルムを成形・シールすることにより製品を連続包装する包装機において用いられる原反ロール部の保持装置として適用することができる。
【符号の説明】
【００３１】
１０  フィルムロール保持装置          １１  中空保持筒      １１ａ  端部
１２  ねじ軸                          １３  ベアリング
１４  ハンドル
２０  ブレーキ機構（ロック機構）      ２１  被ブレーキ部材
２２  ブレーキ面                      ２３  キャップ部材
２４  ブレーキパッド                  ２５  コイルばね
２６  レバー                          ２７  軸
【図１】
0005737933.tif 000002
【図２】
0005737933.tif 000003
【図３】
0005737933.tif 000004
【図４】
0005737933.tif 000005
【図５】
0005737933.tif 000006
【図６】
0005737933.tif 000007